(57)【要約】【課題】パネルの左右にそれぞれ視差のある画像を表示させた携帯情報端末を使用し、消費者が面倒な組立作業を行なわず、単純な作業だけで直ぐに組み立てられる簡易的な装置であって、安価で、高い生産性を有する３次元ビューワを得る。【解決手段】レンズプレート（３）と紙箱からなるホルダー（２）とで構成され、ホルダーは携帯端末（４）を固定する端末保持部（４０）と携帯端末のパネル面と平行になるように係止可能なレンズ固定部（２２）とレンズプレートの左右レンズの中央と携帯端末のパネルの左右方向の中央近傍に起立可能に配置される仕切り板（２３）とを有し、仕切り板が箱の一平面板に設けた折り曲げ線と該折り曲げ線の一端から他端に向かって延びる非連続の切り込みから形成され、前記一平面板に垂直で、かつ、携帯端末のパネルとレンズプレートに直交する形に起立可能であることを特徴とする簡易３次元ビューワ。【選択図】図１
2018146838.tif 000002
【特許請求の範囲】
【請求項１】
携帯端末のパネル画像を立体視可能な３次元ビューワであって、
レンズプレートと、紙箱からなるホルダーとで構成され、
ホルダーは、携帯端末を固定する端末保持部と、
携帯端末のパネル面と平行になるように係止可能なレンズ固定部と、
レンズプレートの左右レンズの中央と携帯端末のパネルの左右方向の中央近傍に起立可能に配置される仕切り板と、を有し、
仕切り板が、箱の少なくとも一平面板に設けた折り曲げ線と、該折り曲げ線の一端から他端に向かって延びる非連続の切り込みから形成され、前記一平面板に垂直で、かつ、携帯端末のパネルとレンズプレートに直交する形に起立可能であることを特徴とする簡易３次元ビューワ。
【請求項２】
レンズ固定部が、外板と内板の二重壁にて構成され、
内板側にレンズプレートのレンズ部に対応したレンズ開口部を有し、
外板側にレンズ部を含むレンズプレートの周縁より狭い開口部を形成する開封部を有し、外板の開封部周縁と内板との隙間にレンズプレートが挿嵌可能としたことを特徴とする請求項１に記載の簡易３次元ビューワ。
【請求項３】
レンズプレートとホルダーとの梱包体が、定形外郵便物として郵送可能な外形寸法と重量の条件を満たしたことを特徴とする請求項１又は２に記載の簡易３次元ビューワ。
【請求項４】
ホルダーが、前面板、上面板、後面板、底面板と、左側面板、右側面板と、からなる扁平な直方体形状の紙箱からなり、
前面板において、長辺に直交する二本の切り込みからなるレンズ固定部と、レンズ固定部の左右に開口部を有し、
上面板と底面板のそれぞれにおいて、底辺に平行な折り込み罫線を有し、
上面板と底面板のいずれか、又は上面板および底面板において、
折り込み罫線と折り曲げ線との間で、レンズ固定部中心線の延長線上に有する折り曲げ線と、折り曲げ線の一端から他端に向って延びる非連続の切り込みから形成される仕切り板と、を有していることを特徴とする請求項１〜３のいずれかに記載の簡易３次元ビューワ。
【請求項５】
上面板と底面板のいずれかにおいて、
一方の仕切り板の一端に係止突起を有し、
他方の挿嵌帯の中心線の延長線上に、切り込みからなる差し込み部を有していることを特徴とする請求項４に記載の簡易３次元ビューワ。
【請求項６】
上面板と底面板のそれぞれにおいて、仕切り板の一端に係止突起を有し、
折り曲げ線上に、切り込みからなる係止切り込みを有していることを特徴とする請求項４に記載の簡易３次元ビューワ。
【請求項７】
ホルダーが、上面板、前面板、底面板、後面板と、左側面板、右側面板と、からなる扁平な直方体形状の紙箱からなり、
少なくとも上面板と底面板のいずれかにおいて、
長辺に直交する形で前面板側の長辺中央にあって、仕切り板を係止するための係止切り込みを有し、
前面板の上辺側と底辺側の中央近傍に平行な２本の折り込み罫線で囲まれた面を接眼面とし、
接眼面にレンズ固定部を有し、
後面板において、係止切り込みの延長線上の上下に折り曲げ線を有し、
上面板側の折り曲げ線上端から底面板側の折り曲げ線下端に向って伸びる外周側切り込みと、上面板側の折り曲げ線下端から底面板側の折り曲げ線上端に向って伸びる内周側切り込みと、上下の折り曲げ線と、で囲まれ、後面板に対し垂直に起立可能な仕切り板を有し、
外周側切り込みの外周に差し込み突起を有していると共に、
内周側切り込みが携帯端末を収納可能な切り込み形状であることを特徴とする請求項１〜３のいずれかに記載の簡易３次元ビューワ。
【請求項８】
仕切り板の折り曲げ線から離れた左右の位置で、後面板と底面板とを繋ぐ折り曲げ線近傍において、
上記折り曲げ線を横切る二本の切り込みと、切り込みの上端同士と下端同士を繋ぐ折り曲げ線に平行な折り線と、から構成される端末保持台を有し、
端末保持台における折り曲げ線と二つの折り線とを中心に回動し、端末保持台が容器内部に突出可能としたことを特徴とする請求項７に記載の簡易３次元ビューワ。
【請求項９】
ホルダーが、上面板、後面板、底面板、前面板と、左側面板、右側面板と、からなる扁平な直方体形状の紙箱からなり、
上面板と前面板において、レンズプレートを挿嵌する挿嵌部を有し、
挿嵌部は、左右両端が上面板から切り離し可能であって、
後面板側から端末保持板、起立補助板、補助板、レンズ保持板との順に構成され、
端末保持板と起立補助板は折り線で繋がり、
起立補助板と補助板は、切れ目線で切り離し可能と共に、切れ目線に対し直交する形で仕切り板係止用スリットを有し、底面板内面でスリット長さ方向に伸縮可能な摺動を可能とし、
補助板、レンズ保持板、前面板の順で折り線によって繋がり、
レンズ保持板は、上辺に平行な折り線と、左右の切り込みによって、折り線を中心に回動可能とし、
端末保持板は、携帯端末の横断面部が挿嵌可能な端末係止用スリットを両側に形成し、
端末係止用スリットの後面板側を端末用折り線で繋ぎ、端末用折り線の前面板側を切り離し可能とすると共に、
レンズ保持板は、レンズプレートの横断面両端が挿嵌可能なレンズ係止用スリットを、前面板との境界に形成し、
底面板は、下辺に直交する折り曲げ線と、該折り曲げ線の一端から他端に向かって延びる切り込みとで形成される仕切り板を有し、
仕切り板は、摺動後の起立補助板と補助板の仕切り板係止用スリットの長さを有し、
底面板に垂直で、かつ、携帯端末のパネルとレンズプレートに垂直になるように起立可能であることを特徴とする請求項１〜３のいずれかに記載の簡易３次元ビューワ。
【発明の詳細な説明】
【技術分野】
【０００１】
本発明は、３次元ビューワに関するものである。特にスマートフォンなどの携帯端末と箱状の容器とを活用し、簡易のヘッドマウントディスプレイ機能を付与した３次元ビューワに関するものである。
【背景技術】
【０００２】
人間が物を立体として認識するのは、その物を左右に位置がずれた両目で見て、左右の目の視差から、頭の中で遠近を認識し、同時にそれらを面で繋ぎ、一つの立体画像を作り上げるようにして認識している。
そこで、一つの物を一定の距離で離した２台のカメラで撮影し、それぞれを左右の目に別々に振り分けて表示すれば、両眼で見た画像を、脳内で同時に知覚・合成し、立体的に認識することができる。
この原理を使用して、画像を立体視するビューワが提案されている。
【０００３】
例えば、特許文献１では、左右の眼に対応して配置されたレンズ部と、情報処理端末を載置する台座部と、レンズとの位置関係を固定する連結部と、を備えた映像観察装置で、机等に置いて、安定して観察する装置になっている。
【０００４】
この装置はレンズと台座部の位置を調整することができるなど、観察し易く出来ている。しかし、その分、一般の人にとって、装置が複雑で、装置を組み立てにくい問題と共に、入手後直ぐに利用することがむずかしく、かつ、嵩張ると共に、壊れやすいなどの問題があった。
【先行技術文献】
【特許文献】
【０００５】
【特許文献１】実用新案登録第３１８５４５８号公報
【発明の概要】
【発明が解決しようとする課題】
【０００６】
そこで、パネルの左右にそれぞれ視差のある画像を表示させた携帯情報端末を使用し、消費者が面倒な組立作業を行なわず、単純な作業だけで直ぐに組み立てられる簡易的な装置であって、安価で、高い生産性を有する３次元ビューワを得ることが本発明の課題である。
【課題を解決するための手段】
【０００７】
携帯端末のパネル画像を立体視可能な３次元ビューワであって、
レンズプレートと、紙箱からなるホルダーとで構成され、
ホルダーは、携帯端末を固定する端末保持部と、
携帯端末のパネル面と平行になるように係止可能なレンズ固定部と、
レンズプレートの左右レンズの中央と携帯端末のパネルの左右方向の中央近傍に起立可能に配置される仕切り板と、を有し、
仕切り板が、箱の少なくとも一平面板に設けた折り曲げ線と、該折り曲げ線の一端から他端に向かって延びる非連続の切り込みから形成され、前記一平面板に垂直で、かつ、携帯端末のパネルとレンズプレートに直交する形に起立可能であることを特徴とする簡易３次元ビューワである。
【発明の効果】
【０００８】
本発明の簡易３次元ビューワは、単に、ホルダーとなる紙箱のレンズ固定部にレンズプレートを嵌め、紙箱の一平面に設けられた仕切り板を切り込み線に沿って破断し、折り線を軸に回動して垂直に起立し、携帯端末を端末保持部に挿嵌するだけで、組み立てることができる。その為、消費者が購入後、直ぐに組み立てて使用できると共に、嵌め込んだ左右の側面板が左右の画像を遮って画像を見やすくし、かつ、レンズとパネルとの距離を調整して焦点を合わせることができる。
【図面の簡単な説明】
【０００９】
【図１】本発明の簡易３次元ビューワの第１実施形態例を示す組み立て斜視図と、紙箱の開梱工程を示す斜視図である。
【図２】本発明の簡易３次元ビューワの第１実施形態例に使用する紙箱の上面側から見た斜視図と、底面側から見た斜視図である。
【図３】本発明の簡易３次元ビューワの第１実施形態例における組み立て工程を示す斜視図と、組み立て状態における断面図である。
【図４】本発明の簡易３次元ビューワの第１実施形態例に使用する紙箱の展開図と、その部分拡大図である。
【図５】本発明の簡易３次元ビューワの第２実施形態例を示す組み立て斜視図である。
【図６】本発明の簡易３次元ビューワの第２実施形態例に使用する紙箱の後面側から見た斜視図と、前面側から見た斜視図である。
【図７】本発明の簡易３次元ビューワの第２実施形態例における組み立て工程を示す斜視図と、レンズ固定部の組み立て工程を示す斜視図である。
【図８】本発明の簡易３次元ビューワの第２実施形態例に使用する紙箱の展開図である。
【図９】本発明の簡易３次元ビューワの第２実施形態例における組み立て状態における断面図と、変形例の断面図と部分展開図である。
【図１０】本発明の簡易３次元ビューワの第３実施形態例を示す組み立て斜視図と、それに使用する紙箱の展開図である。
【図１１】本発明の簡易３次元ビューワの第３実施形態例における紙箱の底面側から見た斜視図と、組み立て工程を示す斜視図である。
【図１２】本発明の簡易３次元ビューワの紙箱内部に商品を入れる場合に用いる商品保護台紙の一例で、その展開図である。
【発明を実施するための形態】
【００１０】
以下、本発明の簡易３次元ビューワにおける実施形態例について、図を用いて詳細に説明する。
図１は、本発明の簡易３次元ビューワ１における第１実施形態例である。
本発明の簡易３次元ビューワ１は、図１−１で示すように、レンズプレート３と、紙箱からなるホルダー２と、から構成されている。
そして、ホルダー２は、携帯端末４を保持する端末保持部２１と、携帯端末４のパネル面４１と平行になるように係止可能な挿嵌帯からなるレンズ固定部２２と、レンズプレート３の左右レンズの中央と携帯端末４のパネル面４１の左右方向の中央近傍に起立可能に配置される仕切り板２３と、を備えている。
仕切り板２３は、箱の上面板２４と底面板２６からなるそれぞれの平面板に設けた折り曲げ線２３１と、該折り曲げ線の一端から他端に向かって延びる非連続の切り込み２３２から形成され、上面板と下面板、それぞれの平面板に垂直で、かつ、携帯端末４のパネル面４１とレンズプレート３に直交する形に起立できるように設定されている。
【００１１】
図１２は、商品保護台紙５の展開図である。ホルダーになる紙箱の中に、レンズプレートを入れて販売するが、紙箱の隙間に、商品を入れ、商品を傷めないようにすると共に、紙箱自体が破損、あるいは著しい変形を起こさないようにするために商品保護台紙５を使用する。そして、そのまま、郵送できるようにすることができる。
例えば、３次元ビューワで鑑賞する映画やアニメーションなどが、宣伝のキャラクターになっている商品などを販売するのに利用できる。
商品は御菓子のような食品であっても、文具などであってもかまわないが、郵送できるようにするには、携帯端末収納用外箱の外形寸法が投函可能な大きさで、厚みは３５ｍｍ以下であり、商品を含めた重量は、定形外郵便物として郵送可能な重さである１００ｇ以内であることが望ましい。
商品によって、レンズホルダーなどが変形して、使用できなくならないように、また、紙箱を落とした場合などにおいても、収納されている商品が破損しにくいように、商品保護台紙で商品を覆って保護できるようにする。
【００１２】
図２は、第１実施形態例の簡易３次元ビューワにおけるホルダーに加工する前の紙箱における外観斜視図である。
図２−１は、上面側を上に向けた状態の斜視図、図２−２は、底面側を上に向けた状態の斜視図である。
このように、第１実施形態例では、上面板２４、前面板２５、底面板２６、後面板２７と、左側面外板２８、右側面外板２９と、からなる扁平な直方体形状の紙箱になっている。この紙箱は、左側面外板２８や左側面内板を、切れ目線に沿って破断、もしくは接着剤による粘着を解除することで、開梱することができる。内部には、レンズプレートが入っているが、その他に、お菓子などの商品や商品を保護する為の商品保護台紙を挿入して梱包しておくことができる。
【００１３】
図１−２は、第１実施形態例のホルダー２となる紙箱の開梱工程を示す斜視図である。このホルダー２は、直方体の紙箱からなり、紙箱をホルダーとして使用するには、まず、紙箱の左側面や右側面を開口する。図３−１のように、側面外板と側面内板とを切れ目線で切り離して使用することもできる。
左右の側面板を開くことで、上面板２４は折り込み罫線２４１で、底面板２６は折り込み罫線２６１の罫線で、折り曲げることができ、ビューワの断面を台形形状にすることができるようになる。
前面板２５の中央には、レンズプレートを挿嵌するための２本の切り込み２５１からなる挿嵌帯２２０によって形成されるレンズ固定部２２があり、切り込み２５１を前面板から挿嵌帯２２０を浮き上がらせることができる。また、レンズ固定部の左右には、レンズプレートのレンズに対応したレンズ開口部２５２があり、レンズ開口部２５２の切り込みを切り裂き、開口する。
【００１４】
図３−１は、第１実施形態例のホルダー２の組み立て工程を示す斜視図である。
紙箱の左側面や右側面を開口し、直方体の紙箱から台形の断面にしておくことで、携帯端末４を挿入できる。
仕切り板２３は、非連続の切り込み２３２に沿って破断し、折り曲げ線２３１の中央に設けた係止切り込み２３４を除く形で、折り曲げ線２３１を介して上面板や底面板と繋がっている。折り曲げ線２３１で上面板２４や底面板２６に対し、垂直に折り曲げ、一方の仕切り板２３先端の係止突起２３３を他方の係止切り込み２３４に挿入する。
レンズ固定部２２を前面板２５から浮き上がらせた隙間に、レンズプレート３を挿嵌する。
【００１５】
図３−２は、上面板２４や底面板２６の仕切り板２３において、上面板２４や底面板２６に対し、垂直に折り曲げ、一方の仕切り板２３先端の係止突起２３３を他方の係止切り込み２３４に挿入し、上面板側と底面板側の仕切り板２３同士を交差した状態で係止した状態を示す断面図である。
係止された仕切り板２３は、後面板２７側に携帯端末４が挿嵌できる隙間を有している。また、レンズプレート３と携帯端末４のパネルが平行に向き合って設置される。
さらに、それら、レンズプレート３や携帯端末４のパネルに対し、仕切り板２３は垂直となるよう（直交する形）に配置されている。
【００１６】
図４は、第１実施形態例におけるホルダー２の展開図である。
図４−１は、全体図で、図４−２は、仕切り板２３近傍の拡大図、図４−３は、レンズ固定部２２とレンズ開口部２５２近傍の拡大図である。
ホルダー２は、図の上から後面板２７、上面板２４、前面板２５、底面板２６、のりしろ２７１の順に罫線を介して繋がっている。
上面板２４の左側には左側面外板２８、右側には右側面外板２９が罫線あるいは切り込み線を介して繋がっている。また、底面板２６の左側には左側面内板２８１、右側には右側面内板２９１が罫線あるいは切り込み線を介して繋がっている。
前面板２５の中央には、上面板２４と底面板２６とに繋がる２本の切り込み２５１が平行に設けられ、挿嵌帯２２０からなるレンズ固定部２２を形成している。
拡大図の図３−３で示すように、レンズ固定部の上面側罫線や底面側罫線との交点において、挿嵌帯２２０の左右から離れていく方向に、罫線に切込みを入れておくと、無理なくレンズ挿嵌帯と前面板との間に、レンズプレートが挿嵌できる隙間を生じ易い。
さらに、レンズ固定部２２の左右にはレンズ開口部２５２が切れ目線等によって形成されている。
上面板２４と底面板２６の後面板寄りには、後面板２７との境界に設けられた罫線に平行に、折り込み罫線２４１、折り込み罫線２６１を有している。これらの折り込み罫線は、側面板が切り取られない場合は、側面板側にも延長される。
上面板２４と底面板２６の前面板との罫線と折り込み罫線２４１，２６１との間には、レンズ固定部中心線の延長線上に有する折り曲げ線２３１と、折り曲げ線２３１の一端から他端に向って延びる略コの字形状の切り込み２３２と、で囲まれた仕切り板２３を形成している。
仕切り板２３の折り曲げ線２３１の中央近傍を除く形で係止切り込み２３４が設けられている。そして、係止切り込み２３４の位置が罫線より折り曲げ線２３１から遠ざかる方向にずらす形で形成することによって、仕切り板の先端に設けられた係止突起２３３が挿嵌しやすくなり、係止可能となっている。
この係止突起２３３は、組み立てられる時に、折り曲げ線２３１の中央に設けられた切り込みからなる係止切り込み２３４に挿嵌して係止される。
【００１７】
図５は、本発明の簡易３次元ビューワ１における第２実施形態例である。
第２実施形態例における簡易３次元ビューワ１は、図５で示すように、レンズプレート３と、紙箱からなるホルダー２と、から構成されている。
この第２実施形態例は、ホルダー２の前面板２５が、外板と内板の二重に構成され、前面板の上辺側と底辺側の中央近傍に平行な２本の罫線で囲まれた面を接眼面板２５０とし、接眼面板２５０にレンズ固定部２２を設けている。
接眼面板２５０は、内板側にレンズプレート３のレンズ部に対応したレンズ開口部２５２を有し、外板側にレンズプレート３の周縁より狭い開口部を有する開封部２５５を有している。そして、上記外板の開封部２５５周縁と、上記内板と、の間にレンズプレート３が挿嵌可能な隙間を生じるようになっている。
携帯端末４を固定する端末保持部４０と、携帯端末のパネル面４１に平行に係止可能なレンズ固定部２２と、レンズプレート３の左右レンズ部３１の中央と携帯端末のパネルの左右方向の中央と、の間に仕切り板２３が配置されている。そして、仕切り板２３は、後面板２７や携帯端末４のパネル面４１やレンズプレート３に垂直に起立可能に係止できるようになっている。
【００１８】
図６は、第２実施形態例の簡易３次元ビューワにおけるホルダーに加工する前の紙箱における外観斜視図である。
図６−１は、後面板側を上に向けた状態の斜視図で、図６−２は、前面板側を上に向けた状態の斜視図である。
このように、第２実施形態例では、上面板２４、前面板２５、底面板２６、後面板２７と、左側面外板２８、右側面外板２９と、からなる扁平な直方体形状の紙箱になっている。この紙箱は、右側面外板２９の中央から切れ目線に沿って破断することで、開梱することができる。内部には、レンズプレートが入っているが、その他に、お菓子などの商品や商品を保護する為の商品保護台紙を挿入して梱包しておくことができる。
もちろん、後面板の左側面内板側の開封用切り取り線から破断して開梱することも可能になっている。
【００１９】
図７は、第２実施形態例の簡易３次元ビューワにおけるホルダーに加工する前の紙箱からホルダーに組み立てる工程を示す斜視図である。
図７−１では、左側面外板２８や右側面外板２９の切れ目線によって破断させ、開梱し、内部から、商品や商品保護台紙やレンズプレートを取り出す。
その後、前面板２５の上辺や下辺に平行な罫線で囲まれた接眼面板２５０の中央の切り取り線に沿って破断除去することで、レンズプレートを挿嵌するレンズ固定部２２を形成する。
図７−２では、前面板２５の上辺や下辺に平行な罫線に沿って折り曲げ、前面外上板２５３１を上面板２４と水平になるように形成し、前面外下板２５３２を底面板２６と水平になるように形成する。
後面板２７の中央近傍に設けた仕切り板２３を、外周側切り込み２３２１と内周側切り込み２３２２に沿って破断し、折り曲げ線２３１を軸に回動して垂直に起立する。この時、差し込み突起２３２３を、係止切り込み２４２と係止切り込み２６２とに挿嵌して、仕切り板２３を接眼面板２５０に垂直に係止する。
また、接眼面板２５０中央のレンズ固定部２２にレンズプレート３を挿嵌し、携帯端末４を後面板２７に沿った端末保持部４０に挿嵌する。
【００２０】
図８は、第２実施形態例の簡易３次元ビューワ１におけるホルダー２の展開図である。この図では、上から、前面外板２５３、上面板２４、後面板２７、底面板２６、前面内板２５４の順に罫線を介して繋がっている。
そして、前面外板２５３と前面内板２５４には、それぞれ、上辺側と底辺側の中央に平行な２本の罫線からなる折り曲げ線が設けてあり、それらの罫線で挟まれた面が、接眼面板２５０となっている。
接眼面板２５０を有する前面外板には、レンズプレート３の周縁より狭い開口部を有する開封部２５５を有している。また、接眼面板２５０を有する前面内板には、レンズプレート３のレンズ部に対応したレンズ開口部２５２を有している。
上面板と底面板の両方における、前面板側の罫線中央に、罫線に直交する形で係止切り込み２４２，係止切り込み２６２が設けられ、仕切り板２３を後面板２７に垂直に起立した状態で係止できるようになっている。
後面板２７には、係止用切り込みの延長線上に沿って折り曲げ線２３１を有している。
上面板側の折り曲げ線上端から底面板側の折り曲げ線下端に向って凸状に伸びる外周側切り込み２３２１と、上面板側の折り曲げ線下端から底面板側の折り曲げ線上端に向って伸びる内周側切り込み２３２２と、上下の折り曲げ線２３１と、で囲まれた部分により、仕切り板２３が形成されている。この仕切り板２３は、外周側切り込みに差し込み突起２３２３を有している。差し込み突起２３２３は、上面板と底面板に設けた係止切り込みに係止して、後面板２７に対し垂直に起立できる。
また、内周側切り込み２３２２は、携帯端末の断面形状よりも大きな凹状の切り込みにより形成されている。この為、仕切り板２３を起立した時に、内周側切り込み２３２２によって生じる仕切り板と後面板との間に生じる隙間に、携帯端末を挿嵌することができるようになっている。
この第２実施形態例では、右側面外板２９は前面板２５と罫線を介して繋がっているが、部分的に破断可能な切り取り線が設けられており、右側面内板２９１に貼り合せた後、容易に破断して開口することができる。左側面外板２８は、左側面内板２８１と後面板２７との境界に沿って破断可能な切り取り線が設けられている。
【００２１】
図９−１は、第２実施形態例の簡易３次元ビューワにおけるホルダーの組み立てた状態における断面図である。
仕切り板２３は、外形が台形状からなり、外側に外周側切り込み２３２１を有し、内側に内周側切り込み２３２２を有している。後面板２７と内周側切り込み２３２２とで形成される隙間に、携帯端末４が挿嵌されている。また、接眼面板２５０において、レンズプレートの外周囲よりも狭い開封部２５５を有する前面外板２５３と、レンズ部近傍のみ切り欠かれたレンズ開口部２５２を有する前面内板２５４との隙間にレンズプレート３が挿嵌されている。
さらに、仕切り板２３の上下に設けられた差し込み突起２３２３が係止切り込み２４２、係止切り込み２６２に挿嵌して係止している。
【００２２】
図９−２、図９−３は、第２実施形態例の変形例におけるホルダーの断面図と、その端末保持台近傍の展開図である。
このホルダー２では、仕切り板２３の底面板側の折り曲げ線２３１から離れた左右端近傍となる位置において、後面板２７と底面板２６とを繋ぐ折り込み罫線２６１を横切る二本の切り込みと、切り込みの上端同士と下端同士を繋ぐ折り込み罫線２６１に平行な折り線２６３と、で形成された端末保持台４００を有したホルダーである。
端末保持台４００における折り込み罫線２６１を、二つの折り線２６３を起点として内側に押し込むことで容器内部に突出した端末保持台４００を有するホルダーにすることができる。
仕切り板２３のみで携帯端末４を保持すると不安定なので、左右に携帯端末４を保持する端末保持台４００を設けると、安定して視聴可能になる。
【００２３】
図１０−１は、本発明の簡易３次元ビューワの第３実施形態例を示す組み立て斜視図である。
この第３実施形態例のホルダー２は、上面板２４、後面板、底面板、前面板２５と、左側面外板２８、右側面板と、からなる扁平な直方体形状の紙箱から構成されている。
上面板２４には、切れ目線によって、端末保持部４０を有する開口部が形成されている。端末保持部４０の左右には、切り込みによって、携帯端末の左右が挿嵌する厚み分だけの端末係止用スリットが形成され、かつ、後面側に携帯端末４を支える端末保持板４２が形成されている。
また、上面板２４と前面板２５との境界近傍には、内側に折り曲げられて、レンズプレート３を挿嵌するレンズ挿嵌部２２１を形成している。
さらに、端末保持部４０とレンズ挿嵌部２２１との間には、底面板の一部を破断して形成した仕切り板２３が垂直に起立可能に配置されている。
この為、左右のレンズから見る画像は、光が交差することなく隔離された状態で視聴可能となる。
【００２４】
図１０−２は、本発明の第３実施形態例のホルダーに使用する紙箱の展開図である。
この図においては、後面板２７、底面板２６、前面板２５、上面板２４、のりしろ２７１の順に罫線を介して繋がっており、さらに、左側面外板２８および左側面内板２８１、右側面外板２９および右側面内板２９１と、が設けられている。
上面板２４から前面板２５にかけて、携帯端末保持部４０とレンズプレートを挿嵌するレンズ挿嵌部２２１を有する開口部が形成されている。
開口部は、左右両端が上面板２４から切り取り可能に形成され、後面板２７側から端末保
持板４２、起立補助板４３、補助板２４３、レンズ保持板２４４の順に構成されている。この内、端末保持板４２と起立補助板４３は折り曲げ線により繋がり、起立補助板４３と補助板２４３は、切れ目線４３１で切り離し可能になっている。それと共に、切れ目線４３１の中央近傍において、切れ目線４３１に直交する形で仕切り板係止用スリット４３２を有し、底面板内面でスリットの長さ方向に伸縮可能な摺動を可能としている。起立補助板４３は、端末保持板４２の起立状態を補助（維持）する役目を果たしている。
一方、レンズプレートの挿嵌側では、補助板２４３、レンズ保持板２４４、前面板２５の順に折り曲げ線により繋がっている。
レンズ保持板２４４は、上面板と前面板の間の罫線に平行な折り線２５６と、左右の切り込みによって、折り線２５６を中心に紙箱の内側に向って回動可能である。
端末保持板４２は、携帯端末の厚み方向における断面が挿嵌可能な端末係止用スリット４２２を左右両端に形成し、端末係止用スリット４２２の後面板側を端末用折り線４２１で繋いだ状態に形成し、前面板側の端末係止用スリットを破断し、端末用折り線４２１を起点にして、端末保持板４２を回動可能としている。
さらに、レンズ保持板２４４は、レンズプレートの厚み方向における断面端部が挿嵌可能なレンズ係止用スリット２４４１を、前面板２５との境界近傍に形成している。
底面板２６は、前面板と底面板の間の罫線に直交する折り曲げ線２３１と、折り曲げ線２３１の一端から他端に向かってコの字状に延びる切れ目線から形成される仕切り板２３を有している。
仕切り板２３は、摺動後の起立補助板４３から補助板２４３に亘って形成された仕切り板係止用スリット４３２が底面で開いた状態において係止可能な長さを有し、底面板２６に垂直で、かつ、携帯端末のパネルとレンズプレートに垂直に起立可能に設定してある。
左側面外板２８は、中央近傍から左右端に向って斜めに破断可能な切れ目線が設けられ、先端が係止突起であると共に、左側面内板２８１の中央に再封用切り込み２８３が設けられている。糊付けは、破断して切れ取られる切れ目線の外側にのみ糊付けされ、切れ目線で破断した後、再封用切り込み２８３に、前記左側面外板２８の係止突起が挿嵌して、係止される。
【００２５】
図１１−１は、本発明の簡易３次元ビューワの第３実施形態例のホルダーに組み立てる開梱前の紙箱の斜視図である。
上面板２４から前面板２５に亘って、端末保持板４２、起立補助板４３、補助板２４３、レンズ保持板２４４と、順に配置されている。そして、左右端には切れ目線によって、容易に破断可能に設定されている。と共に、起立補助板４３と補助板２４３との間に、仕切り板係止用スリット４３２が切込み線によって形成されている。
さらに、端末保持板４２は、左右の端末係止用スリット４２２の後面板側が端末用折り線４２１で繋ぎ、かつ、後面板２７との境に、押し込むことで破断可能な開口タブ４２３を有している。
【００２６】
図１１−２は、本発明の簡易３次元ビューワの第３実施形態例で、紙箱をホルダーに組み立てて、携帯端末やレンズプレートを挿嵌する工程を示す斜視図である。
まず、第１工程では、左側面外板２８の係止突起をきっかけに、左右の切れ目線を破断して開梱し、レンズプレート３や商品保護台紙や商品を取り出す。
次に、第２工程では、開口タブ４２３を破断し、端末用折り線４２１より後面板側の端末保持板４２の両端の切れ目線を破断する。
第３工程では、端末保持板４２、起立補助板４３、補助板２４３、レンズ保持板２４４の左右切り込みを破断すると共に、起立補助板４３と補助板２４３との間の切れ目線４３１を破断し、仕切り板係止用スリット４３２の切り込みも破断させる。
第４工程で、起立補助板４３を底面に沿わせながら、後面板側に移動させ、一度、仕切り板係止用スリット４３２端部が仕切り板２３の端部まで移動するように内側に端末用折り線４２１を折り曲げておく。
第５工程で、レンズ保持板２４４と前面板２５との境界である折り線２５６で内側にレンズ保持板２４４と補助板２４３を折り曲げ、補助板２４３を底面内側に沿わせながら、前面板側に移動させ、一旦、補助板２４３の仕切り板係止用スリット４３２の端部が仕切り板の端部まで移動するまで、折り線２５６を折り曲げておく。
第６工程で、一旦、起立補助板４３と前面板２５の先端を箱の外側に向けて折り曲げ、底面板２６の仕切り板２３の内面を開放し、底面板２６の仕切り板２３の周囲の切り込みを破断させ、折り曲げ線２３１で容器内側に折りながら垂直に起立させる。
第７工程で、仕切り板係止用スリットに沿って、起立補助板４３と補助板２４３を底面板の内面に沿わせる。
第８工程で、レンズプレート３の左右をレンズ係止用スリット２４４１に通しながら、レンズ保持板２４４の奥まで挿嵌する。
第９工程で、携帯端末４の左右を、端末係止用スリット４２２に差し込み、さらに端末保持板４２に沿って起立補助板４３まで、挿嵌する。
第１０工程で、左側面外板２８の係止突起を左側面内板２８１の再封用切り込み２８３に挿嵌して、左側面外板２８を係止する。
工程で観ると長いように見えるが、単純で、道具も要らず、容易に組み立てることができる。
【００２７】
本発明のホルダーに用いる紙箱は、薄いダンボールや厚紙などをビク刃などでプレスするだけで、簡単に製造できる。
レンズプレートは、ポリメチルメタアクリレートなどの透明樹脂を射出成形、あるいは射出圧縮成形するだけで、容易に、かつ、大量で安価に製造できる。
【００２８】
本発明の簡易３次元ビューワは、以上のように、スマートフォンなどの携帯端末のパネルに、左右２つのレンズで捕らえたそれぞれの画像を、左右別々に分けて映し出した３次元画像と音声を元に、左右別々の眼でそれぞれ観ることで、立体的な３次元映像として視聴可能なビューワである。
この簡易３次元ビューワは、紙箱から組み立てられたホルダーにレンズプレートなどを挿嵌し、単体でも充分に商品価値がある。
しかも、商品を保護する商品保護台紙なども内蔵して、贈答用として、御菓子なども合わせ、郵送可能な形態にできるように、簡素で軽量で、大きさも薄く小さくすることができる。
さらに、組み立ても簡単なので、開封後、直ぐに、小さなお子様など誰でも組み立てて、視聴できると共に、しまう時も非常にコンパクトに収納でき、かつ、安価で大量生産可能な簡易３次元ビューワであり、本発明のメリットは大きい。
【符号の説明】
【００２９】
１・・・・・・・・簡易３次元ビューワ
２・・・・・・・・ホルダー
２１・・・・・・・端末保持部
２２・・・・・・・レンズ固定部
２２０・・・・・・挿嵌帯
２２１・・・・・・レンズ挿嵌部
２３・・・・・・・仕切り板
２３１・・・・・・折り曲げ線
２３２・・・・・・切り込み
２３２１・・・・・外周側切り込み
２３２２・・・・・内周側切り込み
２３２３・・・・・差し込み突起
２３３・・・・・・係止突起
２３４・・・・・・係止切り込み
２４・・・・・・・上面板
２４１・・・・・・折り込み罫線
２４２・・・・・・係止切り込み
２４３・・・・・・補助板
２４４・・・・・・レンズ保持板
２４４１・・・・・レンズ係止用スリット
２５・・・・・・・前面板
２５０・・・・・・接眼面板
２５１・・・・・・切り込み
２５２・・・・・・レンズ開口部
２５３・・・・・・前面外板
２５３１・・・・・前面外上板
２５３２・・・・・前面外下板
２５４・・・・・・前面内板
２５５・・・・・・開封部
２５６・・・・・・折り線
２６・・・・・・・底面板
２６１・・・・・・折り込み罫線
２６２・・・・・・係止切り込み
２６３・・・・・・折り線
２６４・・・・・・折り曲げ線
２７・・・・・・・後面板
２７１・・・・・・のりしろ
２８・・・・・・・左側面外板
２８１・・・・・・左側面内板
２８３・・・・・・再封用切り込み
２９・・・・・・・右側面外板
２９１・・・・・・右側面内板
３・・・・・・・・レンズプレート
３１・・・・・・・レンズ
４・・・・・・・・携帯端末
４０・・・・・・・端末保持部
４００・・・・・・端末保持台
４１・・・・・・・パネル面
４２・・・・・・・端末保持板
４２１・・・・・・端末用折り線
４２２・・・・・・端末係止用スリット
４２３・・・・・・開口タブ
４３・・・・・・・起立補助板
４３１・・・・・・切れ目線
４３２・・・・・・仕切り板係止用スリット
５・・・・・・・・商品保護台紙
【図１】
2018146838.tif 000003
【図２】
2018146838.tif 000004
【図３】
2018146838.tif 000005
【図４】
2018146838.tif 000006
【図５】
2018146838.tif 000007
【図６】
2018146838.tif 000008
【図７】
2018146838.tif 000009
【図８】
2018146838.tif 000010
【図９】
2018146838.tif 000011
【図１０】
2018146838.tif 000012
【図１１】
2018146838.tif 000013
【図１２】
2018146838.tif 000014